(57)【要約】【課題】周囲が暗くなりその存在の認識が困難な状況になっても、その存在を認識させることができる存在認識手段としての発光手段を有するとともに、この発光手段が極めて簡易な構成で容易に設計実現可能であり、しかも、自発発光により電気供給源が不要で安価に製造可能となる画期的な道路反射鏡を提供することを目的とする。【解決手段】交差点やカーブ手前に設置され、死角となる方向の様子を手前から視認することができる道路反射鏡において、鏡面部１を有する反射鏡本体部２の周縁部３の全周に亘って周縁カバー部４が設けられており、この周縁カバー部４は、蓄光材を含有した合成樹脂からなり、周囲が暗くなると発光するように構成されている道路反射鏡。【選択図】図２
2018111994.tif 000002
【特許請求の範囲】
【請求項１】
交差点やカーブ手前に設置され、死角となる方向の様子を手前から視認することができる道路反射鏡において、鏡面部を有する反射鏡本体部の周縁部の全周に亘って周縁カバー部が設けられており、この周縁カバー部は、蓄光材を含有した合成樹脂からなり、周囲が暗くなると発光するように構成されていることを特徴とする道路反射鏡。
【請求項２】
前記周縁カバー部は、長手方向に沿って前記周縁部に被嵌する溝条部が形成されていることを特徴とする請求項１記載の道路反射鏡。
【請求項３】
前記周縁カバー部は、柔軟性を有する環状体に形成されるとともに、内側に前記溝条部が形成されていることを特徴とする請求項２記載の道路反射鏡。
【請求項４】
前記周縁カバー部は、前記周縁部に着脱交換自在に設けられていることを特徴とする請求項１〜３のいずれか１項に記載の道路反射鏡。
【発明の詳細な説明】
【技術分野】
【０００１】
本発明は、交差点やカーブ手前に設置され、死角となる方向の様子を手前から視認することができる道路反射鏡、特に周囲が暗くなりその存在が認識しづらくなった際に、通行人にその存在を認識させるために発光する発光手段を有する道路反射鏡に関するものである。
【背景技術】
【０００２】
道路反射鏡は、家や塀等によって死角が生じ見通しの悪くなった住宅街の交差点や山道の対向車の存在が確認できないような急なカーブの手前等に設置されるものである。
【０００３】
従って、一般的には、自動車やバイクの運転手は、この道路反射鏡が設置されている場所は、左右方向や前方の見通しが悪く出会いがしらの事故が起き易く、通行する際は、安全に十分気を付けなければならない場所であるとの認識を持っている。
【０００４】
ゆえに、自動車やバイクの運転手は、この道路反射鏡の存在を認識することで、この場所が安全に気を付けなければならない場所であることを認識し、この道路反射鏡で死角方向の状況、即ち、死角方向から他の車両や自転車、歩行者等が接近していないかどうかの安全確認を行ったうえで、十分安全に注意して交差点やカーブに進入し、出会いがしらの事故の発生を未然に防いでいる。
【０００５】
しかし、従来の一般的な道路反射鏡は、夜間、周囲が暗くなると、鏡面部で死角方向の状況を確認することができなくなるばかりか、道路反射鏡そのものの存在が認識しづらくなってしまうものであったため、自動車やバイク等の運転手は、道路反射鏡の存在に気付かず、この場所が安全に気を付けなければならない場所であることを認識することができず、安全確認を怠り、事故を起こしてしまう懸念があるものであった。
【０００６】
そこで、従来、夜間暗くなっても道路反射鏡の存在を認識させるため、鏡体の周囲に非鏡面部を形成し、この非鏡面部に再帰反射シートを貼着したもの（特許文献１）や、電気供給源と光センサにより暗くなったときに通電して発光する蛍光パネル体を鏡体の周縁に貼着したもの（特許文献２）が提案されている。
【先行技術文献】
【特許文献】
【０００７】
【特許文献１】特開２００５−９８０９０号公報
【特許文献２】特開平９−２５６３３０号公報
【発明の概要】
【発明が解決しようとする課題】
【０００８】
しかしながら、特許文献１に開示される道路反射鏡は、その存在を認識させるものとして再帰反射シートを用いているが、この再帰反射シートはヘッドライト等の照射手段を有する自動車やバイクの運転手に対しては有効であるものの、照射手段を持たない歩行者にはその存在を認識させることができない懸念があるものであった。また、特許文献２に開示される道路反射鏡は、その存在を認識させるものとして蛍光パネルを用いているが、電気供給源やセンサ、蛍光パネルなどの多くの部材で構成されるためコストが掛かり、しかも、蛍光パネルを鏡面部に貼着するため鏡面部が狭くなり道路反射鏡の視認性が低下してしまうという懸念があるものであった。
【０００９】
本発明は、このような従来例が抱える問題を解消したもので、周囲が暗くなりその存在の認識が困難な状況になっても、その存在を認識させることができる存在認識手段としての発光手段を有するとともに、この発光手段が極めて簡易な構成で容易に設計実現可能であり、しかも、自発発光により電気供給源が不要で安価に製造可能となる画期的な道路反射鏡を提供することを目的とする。
【課題を解決するための手段】
【００１０】
添付図面を参照して本発明の要旨を説明する。
【００１１】
交差点やカーブ手前に設置され、死角となる方向の様子を手前から視認することができる道路反射鏡において、鏡面部１を有する反射鏡本体部２の周縁部３の全周に亘って周縁カバー部４が設けられており、この周縁カバー部４は、蓄光材を含有した合成樹脂からなり、周囲が暗くなると発光するように構成されていることを特徴とする道路反射鏡に係るものである。
【００１２】
また、前記周縁カバー部４は、長手方向に沿って前記周縁部３に被嵌する溝条部５が形成されていることを特徴とする請求項１記載の道路反射鏡に係るものである。
【００１３】
また、前記周縁カバー部４は、柔軟性を有する環状体に形成されるとともに、内側に前記溝条部５が形成されていることを特徴とする請求項２記載の道路反射鏡に係るものである。
【００１４】
また、前記周縁カバー部４は、前記周縁部３に着脱交換自在に設けられていることを特徴とする請求項１〜３のいずれか１項に記載の道路反射鏡に係るものである。
【発明の効果】
【００１５】
本発明は上述のように構成したから、周囲が暗くなりその存在の認識が困難な状況になっても、その存在を認識させることができる存在認識手段としての発光手段が極めて簡易な構成で容易に設計実現可能であり、しかも、自発発光するから電気供給源が不要となり、安価に製造することができる実用性に優れた画期的な道路反射鏡となる。
【図面の簡単な説明】
【００１６】
【図１】本実施例を示す説明斜視図である。
【図２】本実施例を示す説明分解斜視図である。
【図３】本実施例の反射鏡本体部を示す説明側断面図である。
【図４】本実施例の夜間における使用状態を示す説明図である。
【発明を実施するための形態】
【００１７】
好適と考える本発明の実施形態を、図面に基づいて本発明の作用を示して簡単に説明する。
【００１８】
従来の道路反射鏡の多くは、反射鏡本体が、鏡面が形成されている表板部材と、支柱取付部が設けられている裏板部材とを重ね合わせた構成とされている。
【００１９】
また、従来の道路反射鏡は、反射鏡本体がこのような重ね合わせ構造のため、表板部材と裏板部材の重ね合わせ部から雨水が浸入して錆などが発生する懸念があることから、重ね合わせ部、即ち、反射鏡本体の周縁に雨水の浸入を防止するための周縁カバーが設けられている。
【００２０】
本発明は、従来、単に反射鏡本体内に雨水が浸入することを防止する目的として取り付けられている周縁カバーを、蓄光材を含有し紫外線吸収により自発発光する周縁カバー部４に構成し、周囲が暗くなりその存在の認識が困難な状況になっても、この周縁カバー部４の自発発光によりその存在を認識させることができる画期的な道路反射鏡を、極めて簡易な構成で容易に設計実現可能とした実用性に優れた画期的な道路反射鏡である。
【００２１】
即ち、本発明は、周囲が暗くなると、周縁カバー部４が蓄光材の発光作用により発光する。
【００２２】
この周縁カバー部４は、鏡面部１が設けられている反射鏡本体部２の周縁部３全周に亘って設けられているので、この周縁カバー部４が発光することで、反射鏡本体２の周縁部３が全周に亘って発光し、この反射鏡本体部２の周縁部３全周の発光により、反射鏡本体部２（鏡面部１）の形状が暗闇に浮かび上がり、暗くなって道路反射鏡の存在が認識しづらくなっても、自動車、バイク、自転車の運転手や歩行者がこの反射鏡本体部２の形状を呈する光によって道路反射鏡の存在に気付き、この場所が安全に気を付けばければならない場所であることを認識することができる。
【００２３】
これにより、道路反射鏡の存在に気付いた自動車、バイク、自転車の運転手や歩行者は、この反射鏡本体部２（鏡面部１）の形状に浮かび上がった明かりの内側を視認し、車やバイク、自転車などのヘッドライトが移っていないかどうか等の安全を確認しながら注意してこの場所を進入してゆくこととなるので、一時不停止や飛び出しなどがなくなり事故の発生を未然に防ぐことができる画期的な道路反射鏡となる。
【００２４】
しかも、上述のように、本発明は、周縁カバー部４が蓄光材により自発発光する構成とされているので、発光のための電気供給源が不要で安価に製造可能となる。
【実施例】
【００２５】
本発明の具体的な実施例について図面に基づいて説明する。
【００２６】
本実施例は、交差点やカーブ手前に設置され、死角となる方向の様子を手前から視認することができる道路反射鏡に係るものであり、図示するように、反射鏡本体部２と、これを支持する支柱部６とからなる構成とされている。
【００２７】
更に、本実施例は、図示するように、周囲が暗くなり、通行人がその存在を認識することが困難な状況になっても、反射鏡本体部２の周縁部３が発光して、通行人にその存在を認識させることができるように構成されている。
【００２８】
即ち、一般的な道路反射鏡は、夜間、周囲が暗くなると、鏡面部で死角方向の状況を確認しづらくなるばかりか、道路反射鏡そのものの存在が認識しづらくなってしまうものであり、これにより、自動車やバイク等の運転手は、道路反射鏡の存在に気付かず、この場所が安全に気を付けなければならない場所であることを認識することができず、安全確認を怠り、事故を起こしてしまう懸念があるものであるが、本実施例は、暗くなっても発光によりその存在を通行人に認識させることができる構成とされており、これにより、上記のような懸念はなく、一時不停止や飛び出しなどを抑制し事故の発生を未然に防ぐことができるように構成されている道路反射鏡である。
【００２９】
以下、本実施例について詳述する。
【００３０】
本実施例を構成する反射鏡本体部２は、従来の一般的な道路反射鏡と同様、鏡面部１を有する金属製の表板部７と、この表板部７に重ね合わせ状態に設けられる金属性の裏板部８とで構成されている。
【００３１】
また、本実施例の反射鏡本体部２は、図示するように、更に、周縁カバー部４と、フード部９とが設けられた構成とされている。
【００３２】
本実施例のフード部９は、従来からある一般的な道路反射鏡のフードと同様の構成とされており、具体的には、金属板材（例えばステンレス鋼材）にオレンジ色のアクリル焼付塗装を施した構成とされている。
【００３３】
また、本実施例の周縁カバー部４は、反射鏡本体部２の周縁部３の全周に亘って設けられる構成とされ、更に、この反射鏡本体部２に対して着脱交換自在に設けられる構成とされている。
【００３４】
具体的には、本実施例の周縁カバー部４は、柔軟性を有する塩化ビニル製の環状体に形成され、内側の長手方向（周方向）に沿って反射鏡本体部２の周縁部３に被嵌し得る溝条部５が形成されている。
【００３５】
より具体的には、本実施例の周縁カバー部４は、柔軟性を有する塩化ビニル製の帯状部材を長手方向に沿って二つ折り状態にして、端部同士を結合させて環状にした構成とされ、この二つ折りにより形成された対向帯状片部間に形成された溝条部５に反射鏡本体部２の周縁部３を挿入配設することで、対向帯状片部がこの反射鏡本体部２の周縁部３の表裏両面に挟着し、反射鏡本体部２の周縁部３に着脱自在に被嵌係止する構成とされている。
【００３６】
また、本実施例の周縁カバー部４は、蓄光材を含有しており、周囲が暗くなると発光するように構成されている。
【００３７】
即ち、本実施例の周縁カバー部４は、周囲が暗くなりその存在（道路反射鏡自体の存在）の認識が困難な状況になった際に、その存在を認識させるために発光する発光部材として構成されている。
【００３８】
具体的には、蓄光材は、塩化ビニル（ベース部材）にストロンチウム系化合物（蓄光顔料）を混合したものであり、これを前述した周縁カバー部４を形成する塩化ビニルに混合して、本実施例の周縁カバー部４が形成されている。
【００３９】
また、このような蓄光材を含有する本実施例の周縁カバー部４は、外観色が白色を呈している。
【００４０】
一般的な道路反射鏡の周縁カバーは、支柱やフードと同様にオレンジ色のものが多いが、本実施例の周縁カバー部４は、白色にすることで、夜間、発光した際に、より鮮明に（より明るく）発光する構成とされている。
【００４１】
尚、本実施例の周縁カバー部４は、上述のように連続する環状に形成されているが、例えば、分割状態に形成され、反射鏡本体部２の周縁部３に装着した状態が環状となるように形成しても良い。
【００４２】
以上のように構成される本実施例の作用効果について以下に説明する。
【００４３】
本実施例は、周囲が暗くなると、周縁カバー部４が蓄光材の発光作用により発光し、この周縁カバー部４が発光することで、反射鏡本体部２の周縁部３が全周に亘って発光し、この反射鏡本体部２の周縁部３全周の発光により、図示するような反射鏡本体部２（鏡面部１）の形状が暗闇に白いリング状の光となって浮かび上がる。
【００４４】
これにより、暗くなって道路反射鏡の存在が認識しづらくなっても、自動車、バイク、自転車の運転手や歩行者がこの反射鏡本体部２の形状を呈する光によって道路反射鏡の存在に気付き、この場所が安全に気を付けばければならない場所であることを認識することができる。
【００４５】
ゆえに、道路反射鏡の存在に気付いた自動車、バイク、自転車の運転手や歩行者は、この反射鏡本体部２（鏡面部１）の形状に浮かび上がった明かりの内側を視認し、車やバイク、自転車などのヘッドライトが移っていないかどうか等の安全を確認しながら注意してこの場所を進入してゆくこととなるので、一時不停止や飛び出しなどがなくなり事故の発生を未然に防ぐことができる。
【００４６】
また、本実施例は、上述したように、周縁カバー部４以外は従来の一般的な道路反射鏡と同様の構成であるから、従来の一般的な道路反射鏡に取り付けられている単に反射鏡本体内に雨水が浸入することを防止することを目的とした周縁カバーの代わりに、上述した蓄光材を含有し紫外線吸収により自発発光する周縁カバー部４を取り付けるだけで完成する極めて簡易な構成で容易に設計実現可能な実用性に優れた画期的な道路反射鏡となる。
【００４７】
しかも、本実施例は、周縁カバー部４が蓄光材により自発発光する構成とされているので、発光のための電気供給源が不要で安価に製造可能となる。
【００４８】
尚、本発明は、本実施例に限られるものではなく、各構成要件の具体的構成は適宜設計し得るものである。
【符号の説明】
【００４９】
１  鏡面部
２  反射鏡本体部
３  周縁部
４  周縁カバー部
５  溝条部
【図１】
2018111994.tif 000003
【図２】
2018111994.tif 000004
【図３】
2018111994.tif 000005
【図４】
2018111994.tif 000006
【手続補正書】
【提出日】平成29年8月10日(2017.8.10)
【手続補正１】
【補正対象書類名】明細書
【補正対象項目名】００２２
【補正方法】変更
【補正の内容】
【００２２】
この周縁カバー部４は、鏡面部１が設けられている反射鏡本体部２の周縁部３全周に亘って設けられているので、この周縁カバー部４が発光することで、反射鏡本体２の周縁部３が全周に亘って発光し、この反射鏡本体部２の周縁部３全周の発光により、反射鏡本体部２（鏡面部１）の形状が暗闇に浮かび上がり、暗くなって道路反射鏡の存在が認識しづらくなっても、自動車、バイク、自転車の運転手や歩行者がこの反射鏡本体部２の形状を呈する光によって道路反射鏡の存在に気付き、この場所が安全に気を付けなければならない場所であることを認識することができる。
【手続補正２】
【補正対象書類名】明細書
【補正対象項目名】００４４
【補正方法】変更
【補正の内容】
【００４４】
これにより、暗くなって道路反射鏡の存在が認識しづらくなっても、自動車、バイク、自転車の運転手や歩行者がこの反射鏡本体部２の形状を呈する光によって道路反射鏡の存在に気付き、この場所が安全に気を付けなければならない場所であることを認識することができる。